【手続補正書】
【提出日】令和3年2月4日(2021.2.4)
【手続補正１】
【補正対象書類名】明細書
【補正対象項目名】０３３７
【補正方法】変更
【補正の内容】
【０３３７】
本発明の趣旨及び範囲から逸脱することなく、本発明の様々な改変及び変更が、当業者には明らかとなるものであり、本発明は、本明細書に記載される例示的実施形態に限定されるものではないことを理解されたい。読者には、別段の指示のない限り、開示される１つの実施形態の特徴はまた、開示される全ての他の実施形態にも適用することができる点を想定されたい。また、本明細書で参照する全ての米国特許、特許出願公開、並びに他の特許文献及び非特許文献は、上述の開示に矛盾しない範囲内で、参照により組み込まれるものであることも理解されたい。
なお、以上の各実施形態に加えて以下の態様について付記する。
（付記１）
基準平面に沿って延在する構造化表面を備える物品であって、前記構造化表面は、第１のキューブコーナー要素及び残りのキューブコーナー要素を含み、前記第１のキューブコーナー要素は、第１の光学面、第２の光学面、及び第３の光学面を有し、
前記第１の光学面の少なくとも一部は、前記第２の光学面の少なくとも一部に対して、大きさが１分以上２度以下である第１の角度誤差だけ直交性から偏位しており、
前記第１の光学面の前記少なくとも一部は、前記第１のキューブコーナー要素に隣接する前記残りのキューブコーナー要素のうちのいずれかの任意の光学面又は光学面の一部分と同一平面上にない、
物品。
（付記２）
前記第１のキューブコーナー要素は、ＰＧキューブコーナー要素又は完全キューブコーナー要素である、付記１に記載の物品。
（付記３）
前記第１のキューブコーナー要素は、切頭キューブコーナー要素である、付記１に記載の物品。
（付記４）
前記第１のキューブコーナー要素は、前記第１のキューブコーナー要素に隣接する前記残りのキューブコーナー要素のうちのいくつか又は全ての対応するベースと平行又は同一平面上にあるベースを有する、又は、前記第１のキューブコーナー要素は、前記第１のキューブコーナー要素に隣接するキューブコーナー要素のうちのいくつか又は全部と共に、各キューブコーナー要素のベースに沿ってそのまま残っている、付記１〜３のいずれか一項に記載の物品。
（付記５）
前記第１のキューブコーナー要素は、１ミリメートル以下のオーダーの少なくとも１つの特性寸法を有し、前記第１の光学面、第２の光学面、及び第３の光学面は、それぞれ、第１の分割線、第２の分割線、及び第３の分割線のそれぞれに沿って交わる２つの構成面を有する複合面である、付記１〜４のいずれか一項に記載の物品。
（付記６）
前記第１の光学面、第２の光学面、及び第３の光学面のそれぞれについて、前記２つの構成面は、１分以内の角度で互いに平行である、付記５に記載の物品。
（付記７）
前記第１の分割線、第２の分割線、及び第３の分割線はそれぞれ、前記基準平面に対して傾斜している、付記５に記載の物品。
（付記８）
前記第１の光学面は、第１の分割線に沿って交わる第１及び第２の構成面を有する複合面であり、前記第２の光学面は、第２の分割線に沿って交わる第３及び第４の構成面を有する複合面であり、前記第１の構成面は、前記第１の角度誤差だけ前記第３の構成面に対して直交性から偏位している、付記１〜４のいずれか一項に記載の物品。
（付記９）
前記第２の構成面は、前記第１の角度誤差だけ、又は前記第１の角度誤差とは異なる第２の角度誤差だけ、前記第４の構成面に対して直交性から偏位しており、前記第２の角度誤差は、１分以上２度以下の大きさを有する、付記８に記載の物品。
（付記１０）
前記第２の構成面は、前記第４の構成面に対して１分以内の角度で直交する、付記８に記載の物品。
（付記１１）
構造化表面内に画定されたキューブコーナー要素を備える物品であって、前記構造化表面は、基準平面に沿って延在し、前記キューブコーナー要素は、前記基準平面に対して傾斜した第１の丸みのある縁部を含み、前記キューブコーナー要素は、第１の光学面、第２の光学面、及び第３の光学面を含み、前記第１の光学面の少なくとも一部は、前記第２の光学面の少なくとも一部に対して直交性から、大きさが１分以上２度以下の角度である第１の角度誤差だけ偏位している、物品。
（付記１２）
前記第１の光学面は、第１の分割線に沿って交わる第１及び第２の構成面を有する複合面であり、前記第２の光学面は、第２の分割線に沿って交わる第３及び第４の構成面を有する複合面であり、前記第１の構成面は、前記第１の角度誤差だけ前記第３の構成面に対して直交性から偏位している、付記１１に記載の物品。
（付記１３）
前記第２の構成面は、前記第１の角度誤差だけ前記第４の構成面に対して直交性から偏位している、付記１２に記載の物品。
（付記１４）
前記第２の構成面は、前記第１の角度誤差とは異なる第２の角度誤差だけ、前記第４の構成面に対して直交性から偏位しており、前記第２の角度誤差は、少なくとも１分以上２度以下の大きさを有する、付記１２に記載の物品。
（付記１５）
前記第２の構成面は、前記第４の構成面に対して１分以内の角度で直交する、付記１２に記載の物品。
（付記１６）
前記第１の分割線及び第２の分割線はともに、前記基準平面に対して傾斜している、付記１２〜１５のいずれか一項に記載の物品。
（付記１７）
前記第１の光学面、第２の光学面、及び第３の光学面は、それぞれ、第１の分割線、第２の分割線、及び第３の分割線のそれぞれに沿って交わる２つの構成面を有する複合面であり、前記第１の光学面、第２の光学面、及び第３の光学面のそれぞれに関して、前記２つの構成面は、１分以内の角度で互いに平行である、付記１１に記載の物品。
（付記１８）
前記丸みのある縁部は、前記キューブコーナー要素の二面縁部である、付記１１〜１７のいずれか一項に記載の物品。
（付記１９）
前記丸みのある縁部は、前記キューブコーナー要素の非二面縁部である、付記１１〜１７のいずれか一項に記載の物品。
（付記２０）
前記構造化表面は、他のキューブコーナー要素を含み、前記第１の光学面の前記少なくとも一部は、前記第１のキューブコーナー要素に隣接する前記他のキューブコーナー要素のうちのいずれかの任意の光学面又は光学面の一部分と同一平面上にない、付記１１〜１９のいずれか一項に記載の物品。
（付記２１）
構造化表面内に画定されたキューブコーナー要素を含む物品であって、前記構造化表面は、基準平面に沿って延在し、前記キューブコーナー要素は、第１の光学面、第２の光学面、及び第３の光学面を含み、前記第１の光学面は、第１の分割線に沿って交わる第１の面及び第２の面を含む第１の複合面であり、前記第１の分割線は、前記基準平面に対して傾斜しており、前記第１の面は、前記第２の光学面の少なくとも一部に対して直交性から、大きさが１分以上２度以下である第１の角度誤差だけ偏位している、物品。
（付記２２）
前記キューブコーナー要素は、前記基準平面に対して傾斜した第１の丸みのある縁部を含む、付記２１に記載の物品。
（付記２３）
前記構造化表面は、残りのキューブコーナー要素を含み、前記第１の面は、前記キューブコーナー要素に隣接する前記残りのキューブコーナー要素のうちのいずれかの任意の光学面又は光学面の一部分と同一平面上にない、付記２１又は２２に記載の物品。
（付記２４）
前記第１の面及び第２の面は、１分以内の角度で互いに平行である、付記２１〜２３のいずれか一項に記載の物品。
（付記２５）
前記第２の光学面は、第２の分割線に沿って交わる第３の面及び第４の面を含む第２の複合面であり、前記第２の分割線は、前記基準平面に対して傾斜しており、前記第２の光学面の前記少なくとも一部は、前記第３の面である、付記２１〜２４のいずれか一項に記載の物品。
（付記２６）
前記第３の面及び前記第４の面は、１分以上２度以下だけ平行から偏位している、付記２５に記載の物品。
（付記２７）
前記第３の面及び第４の面は、１分以内の角度で互いに平行である、付記２５に記載の物品。
（付記２８）
前記キューブコーナー要素は、１ミリメートル以下のオーダーの少なくとも１つの特性寸法を有する、付記２１〜２７のいずれか一項に記載の物品。
（付記２９）
前記キューブコーナー要素は、切頭キューブコーナー要素である、付記２１〜２８のいずれか一項に記載の物品。
（付記３０）
前記キューブコーナー要素は、ＰＧキューブコーナー要素である、付記２１〜２８のいずれか一項に記載の物品。
（付記３１）
キューブコーナー要素の製造方法であって、
基準平面に沿って延在する加工面を有する基材を準備することと、
前記基材を回転エンドミルにより切削して、前記基材内に凹部を形成することと、
切削中に、前記基準平面に対して傾斜した経路部分を含む切削経路に沿って前記回転エンドミルを前記基材に対して移動させることと、
を含み、
切削は、前記キューブコーナー要素の２つの光学面の間に、又は２つの光学面の一部分の間に二面角誤差が形成されるように実行され、前記二面角誤差は、１分以上２度以下の大きさを有する、
方法。
（付記３２）
キューブコーナー要素の製造方法であって、
ｘ−ｙ平面に沿って延在する加工面を有する基材を準備することと、
前記基材を回転エンドミルにより切削して、前記基材内に第１の凹部を形成することと、
切削中に、前記第１の凹部の第１の面及び第２の面を形成するように、前記回転エンドミルを前記基材に対して移動させることとであって、前記第１の面及び第２の面は、前記ｘ−ｙ平面に対して傾斜した線に沿って交差する、対応する第１の基準平面及び第２の基準平面を画定する、ことと、
を含み、
前記キューブコーナー要素は、第１の光学面、第２の光学面、及び第３の光学面を有し、前記第１の面は、前記第１の光学面の一部であり、前記第２の面は、前記第２の光学面の一部であり、前記切削は、前記第１の面及び第２の面が直交性から、大きさが１分以上２度以下である角度誤差だけ偏位するように実行される、
方法。
（付記３３）
キューブコーナー要素の製造方法であって、
基材を準備することと、
前記基材を第１の回転エンドミルにより切削して、前記第１の凹部が第１の面を有する凹部を前記基材内に形成することと、
任意選択的に前記第１の回転エンドミルと同一である第２の回転エンドミルにより前記基材を更に切削して、前記凹部を拡張し、第２の面を形成することと、
を含み、
前記第１の面及び第２の面は、前記拡張された凹部の複合面を形成し、前記複合面は、前記キューブコーナー要素の第１の光学面であり、前記キューブコーナー要素は、第２及び第３の光学面を有し、
前記第１の面は、前記第２の光学面の少なくとも一部に対して直交性から、大きさが１分以上２度以下である角度誤差だけ偏位している、
方法。
（付記３４）
基準平面に沿って延在する基材内にキューブコーナー要素を製造する方法であって、前記基準平面に対して傾斜した少なくとも１つの切削経路に沿って少なくとも１つの回転エンドミルで前記基材を切削することを含み、切削は、前記キューブコーナー要素の第１の光学面の第１の部分が、前記キューブコーナー要素の第２の光学面の第１の部分に対して直交性から、大きさが１分以上２度以下である角度誤差だけ偏位するように実行される、方法。
（付記３５）
基材内にキューブコーナー要素を製造する方法であって、前記基材を回転エンドミルにより切削することによって前記キューブコーナー要素の第１の光学面の一部を形成することを含み、形成は、前記第１の光学面の前記一部は、前記キューブコーナー要素の第２の光学面の少なくとも一部に対して直交性から、大きさが１分以上２度以下である角度誤差だけ偏位するように実行される、方法。
【手続補正２】
【補正対象書類名】特許請求の範囲
【補正対象項目名】全文
【補正方法】変更
【補正の内容】
【特許請求の範囲】
【請求項１】
基準平面に沿って延在する構造化表面を備える物品であって、前記構造化表面は、第１のキューブコーナー要素及び残りのキューブコーナー要素を含み、前記第１のキューブコーナー要素は、第１の光学面、第２の光学面、及び第３の光学面を有し、
前記第１の光学面の少なくとも一部は、前記第２の光学面の少なくとも一部に対して、大きさが１分以上２度以下である第１の角度誤差だけ直交性から偏位しており、
前記第１の光学面の前記少なくとも一部は、前記第１のキューブコーナー要素に隣接する前記残りのキューブコーナー要素のうちのいずれかの任意の光学面又は光学面の一部分と同一平面上にない、
物品。
【請求項２】
前記第１のキューブコーナー要素は、ＰＧキューブコーナー要素又は完全キューブコーナー要素である、請求項１に記載の物品。
【請求項３】
前記第１のキューブコーナー要素は、切頭キューブコーナー要素である、請求項１に記載の物品。
【請求項４】
前記第１のキューブコーナー要素は、１ミリメートル以下のオーダーの少なくとも１つの特性寸法を有し、前記第１の光学面、第２の光学面、及び第３の光学面は、それぞれ、第１の分割線、第２の分割線、及び第３の分割線のそれぞれに沿って交わる２つの構成面を有する複合面である、請求項１〜３のいずれか一項に記載の物品。
【請求項５】
前記第１の光学面、第２の光学面、及び第３の光学面のそれぞれについて、前記２つの構成面は、１分以内の角度で互いに平行である、請求項４に記載の物品。
【請求項６】
構造化表面内に画定されたキューブコーナー要素を備える物品であって、前記構造化表面は、基準平面に沿って延在し、前記キューブコーナー要素は、前記基準平面に対して傾斜した第１の丸みのある縁部を含み、前記キューブコーナー要素は、第１の光学面、第２の光学面、及び第３の光学面を含み、前記第１の光学面の少なくとも一部は、前記第２の光学面の少なくとも一部に対して直交性から、大きさが１分以上２度以下の角度である第１の角度誤差だけ偏位している、物品。
【請求項７】
前記第１の光学面は、第１の分割線に沿って交わる第１及び第２の構成面を有する複合面であり、前記第２の光学面は、第２の分割線に沿って交わる第３及び第４の構成面を有する複合面であり、前記第１の構成面は、前記第１の角度誤差だけ前記第３の構成面に対して直交性から偏位している、請求項６に記載の物品。
【請求項８】
前記第２の構成面は、前記第１の角度誤差だけ前記第４の構成面に対して直交性から偏位している、請求項７に記載の物品。
【請求項９】
前記第１の光学面、第２の光学面、及び第３の光学面は、それぞれ、第１の分割線、第２の分割線、及び第３の分割線のそれぞれに沿って交わる２つの構成面を有する複合面であり、前記第１の光学面、第２の光学面、及び第３の光学面のそれぞれに関して、前記２つの構成面は、１分以内の角度で互いに平行である、請求項６に記載の物品。
【請求項１０】
前記構造化表面は、他のキューブコーナー要素を含み、前記第１の光学面の前記少なくとも一部は、前記第１のキューブコーナー要素に隣接する前記他のキューブコーナー要素のうちのいずれかの任意の光学面又は光学面の一部分と同一平面上にない、請求項６〜９のいずれか一項に記載の物品。